(57)【特許請求の範囲】
【請求項１】
監視領域における異常を検知する警備装置と、前記警備装置とネットワークで接続され、前記警備装置からの警報を受信して所定の監視処理を行う監視センタと、前記監視領域へ出入する利用者が所持する携帯端末と、を備える監視システムにおいて、
前記携帯端末は、
前記利用者による入力を受け付ける操作手段と、
前記利用者の現在の位置を示す位置情報を取得する位置情報取得手段と、
前記操作手段によって入力を受け付けた場合、前記位置情報取得手段によって取得した前記位置情報、および前記利用者に固有の利用者識別情報とを前記監視センタに送信する位置送信手段と、を備え、
前記警備装置は、
監視領域において、異常を検知した場合における通報先への通報の可否または監視領域に対する報知の可否など、警備装置の動作を決定する複数の状態からなる警備モードを、異常を検知しても通報を行わない警備解除状態から、異常が検知された場合に前記監視センタに通報を行う警備状態に切替える警備モード切替手段と、
前記警備モード切替手段によって前記警備状態に切替えられた場合、その旨を示す切替情報を前記監視センタに送信する送信手段と、を備え、
前記監視センタは、
予め前記利用者ごとに、前記警備装置から一定距離をおいた所定の位置である安全照準位置における前記位置情報と前記利用者識別情報とを対応付けて記憶する記憶手段と、
前記携帯端末から前記位置情報および前記利用者識別情報とを受信し、前記警備装置から前記切替情報を受信する受信手段と、
前記受信手段によって前記切替情報を受信した後に、前記位置情報および前記利用者識別情報を受信した場合、受信した前記利用者識別情報に対応する前記安全照準位置の位置情報を前記記憶手段から取得し、取得した前記安全照準位置の位置情報が示す位置から所定の範囲内に、受信した前記位置情報が示す位置が含まれているか否かを判断する位置判断手段と、
前記位置判断手段によって、前記取得した位置情報が示す位置から所定の範囲内に前記受信した位置情報が示す位置が含まれていないと判断された場合は、監視領域における異常と判断する異常判断手段と、
を備えることを特徴とする監視システム。
【請求項２】
前記監視センタは、
前記受信手段によって前記切替情報を受信した時点から、予め定められた所定の時間を計測する安全照準位置タイマ手段を更に備え、
前記異常判断手段は、前記安全照準位置タイマ手段によって計測された前記所定の時間が経過するまでに、前記受信手段によって前記位置情報を受信しなかった場合、監視領域における異常と判断すること、
を特徴とする請求項１に記載の監視システム。
【請求項３】
前記操作手段は、前記安全照準位置で前記利用者による入力を受け付け、
前記位置送信手段は、前記操作手段によって前記安全照準位置で入力を受け付けた場合、前記位置情報取得手段によって取得した前記安全照準位置の位置情報および前記利用者識別情報とを前記監視センタに送信し、
前記受信手段は、前記携帯端末から前記安全照準位置の位置情報および前記利用者識別情報とを受信し、
前記監視センタは、前記受信手段によって受信した前記安全照準位置の位置情報と前記利用者識別情報とを、前記記憶手段に保存する登録手段を更に備えること、
を特徴とする請求項１または２に記載の監視システム。
【請求項４】
前記登録手段は、前記受信手段によって受信した前記安全照準位置の位置情報で、前記記憶手段に既に保存されている前記安全照準位置の位置情報を更新すること、
を特徴とする請求項３に記載の監視システム。
【請求項５】
監視領域における異常を検知する警備装置と、前記警備装置とネットワークで接続され、前記警備装置からの警報を受信して所定の監視処理を行う監視センタと、前記監視領域へ出入する利用者が所持する携帯端末との間で実行される監視方法において、
前記携帯端末において、前記利用者による入力を受け付ける操作ステップと、
前記携帯端末において、前記利用者の現在の位置を示す位置情報を取得する位置情報取得ステップと、
前記携帯端末において、前記操作ステップによって入力を受け付けた場合、前記位置情報取得ステップによって取得した前記位置情報、および前記利用者に固有の利用者識別情報とを前記監視センタに送信する位置送信ステップと、を含み、
前記警備装置において、監視領域において、異常を検知した場合における通報先への通報の可否または監視領域に対する報知の可否など、警備装置の動作を決定する複数の状態からなる警備モードを、異常を検知しても通報を行わない警備解除状態から、異常が検知された場合に前記監視センタに通報を行う警備状態に切替える警備モード切替ステップと、
前記警備装置において、前記警備モード切替ステップによって前記警備状態に切替えられた場合、その旨を示す切替情報を前記監視センタに送信する送信ステップと、を含み、
前記監視センタにおいて、前記携帯端末から前記位置情報および前記利用者識別情報とを受信し、前記警備装置から前記切替情報を受信する受信ステップと、
前記監視センタにおいて、前記受信ステップによって前記切替情報を受信した後に、前記位置情報および前記利用者識別情報を受信した場合に、受信した前記利用者識別情報に対応し、前記警備装置から一定距離をおいた所定の位置である安全照準位置の位置情報を、予め前記利用者ごとに前記位置情報と前記利用者識別情報とを対応付けて記憶する記憶手段から取得し、取得した前記安全照準位置の位置情報が示す位置から所定の範囲内に、受信した前記位置情報が示す位置が含まれているか否かを判断する位置判断ステップと、
前記監視センタにおいて、前記位置判断ステップによって、前記取得した位置情報が示す位置から所定の範囲内に前記受信した位置情報が示す位置が含まれていないと判断された場合は、監視領域における異常と判断する異常判断ステップと、
を含むことを特徴とする監視方法。
【発明の詳細な説明】
【技術分野】
【０００１】
本発明は、利用者が監視領域の警備設定をした後に、別の場所において監視領域の警備状況及び該利用者の安全を確認する監視システム、および監視方法に関する。
【背景技術】
【０００２】
従来の監視システムは、警備設定の開始から解除までの間における監視領域の異常の有無を警備するものが知られている。しかし、警備設定を開始した直後、監視領域からの最終退館者（利用者）を待ち伏せたり脅迫等をして、警備設定の解除を強いることで、監視領域に入館すること（押し込み強盗）が考えられる。この場合は、正常に警備設定の解除がなされているため、監視領域の監視を行う遠隔の監視センタ側では、その解除を異常と認識できなかった。そこで、このような状況を異常と認識するため、警備設定の開始から一定時間内の解除を異常と認識するものがあった。
【０００３】
しかし、上述のように、異常と認識する設定を行うと、最終退館者が忘れ物等をした場合、警備設定を開始した直後に解除して再度監視領域へ入館すると、監視センタではその解除を正常な解除にも関わらず異常と認識してしまい誤報を発生させてしまう。そこで、監視領域における金庫室等の重要な領域と、それ以外の領域とを峻別して警備を行うものがある。具体的には、警備設定を開始すると、重要な領域の警備を行いつつ、重要な領域以外の領域では、開始から一定時間経過するまでの解除を異常と認識しないことで、忘れ物等をした場合の入館による誤報を防止する技術が公開されている（例えば、特許文献１参照）。
【０００４】
また、押し込み強盗等による警備設定の解除を回避するため、外部との出入口を備えた第１の監視領域（警備対象区域）と、第１の監視領域のみから入室可能な第２の監視領域とからなる監視領域において、第１の監視領域の警備解除後の所定期間内に第２の監視領域の警備解除を行なった場合のみ、第２の監視領域の警備を解除する技術が公開されている（例えば、特許文献２参照）。
【０００５】
【特許文献１】特開平８−１６９６４号公報
【特許文献２】実開平７−２０６８８号公報
【発明の開示】
【発明が解決しようとする課題】
【０００６】
しかしながら、特許文献１では、重要な監視領域の警備を行いつつ正常な警備設定の解除による誤報は防止できるが、重要な領域以外の監視領域に関しては、一定時間が経過するまで異常を認識しないため、警備設定の開始から即座に監視領域全体を警備できなかった。また、最終退館者が監視領域から十分に離れることが可能な時間を一定時間として設定しているが、実際に押し込み強盗等の危険に遭っていないという安全の確保を確認することはできないという問題があった。
【０００７】
また、特許文献２では、第２の監視領域における押し込み強盗等の脅迫等による警備設定の解除は行われない可能性はあるが、第１の監視領域までは、押し込み強盗等の脅迫等による解除が行われ、侵入される場合が考えられ、そのような場合などに最終退館者の安全が確保されているかを確認することはできないという問題があった。
【０００８】
本発明は、上記に鑑みてなされたものであって、利用者が監視領域の警備設定をした後に、再度、別の場所において該利用者の位置を確認することによって、監視領域の警備状況及び該利用者の安全を確認する監視システム、および監視方法に関する。
【課題を解決するための手段】
【０００９】
上述した課題を解決し、目的を達成するために、本発明は、監視領域における異常を検知する警備装置と、前記警備装置とネットワークで接続され、前記警備装置からの警報を受信して所定の監視処理を行う監視センタと、前記監視領域へ出入する利用者が所持する携帯端末と、を備える監視システムにおいて、前記携帯端末は、前記利用者による入力を受け付ける操作手段と、前記利用者の現在の位置を示す位置情報を取得する位置情報取得手段と、前記操作手段によって入力を受け付けた場合、前記位置情報取得手段によって取得した前記位置情報、および前記利用者に固有の利用者識別情報とを前記監視センタに送信する位置送信手段と、を備え、前記警備装置は、監視領域において、異常を検知した場合における通報先への通報の可否または監視領域に対する報知の可否など、警備装置の動作を決定する複数の状態からなる警備モードを、異常を検知しても通報を行わない警備解除状態から、異常が検知された場合に前記監視センタに通報を行う警備状態に切替える警備モード切替手段と、前記警備モード切替手段によって前記警備状態に切替えられた場合、その旨を示す切替情報を前記監視センタに送信する送信手段と、を備え、前記監視センタは、予め前記利用者ごとに、前記警備装置から一定距離をおいた所定の位置である安全照準位置における前記位置情報と前記利用者識別情報とを対応付けて記憶する記憶手段と、前記携帯端末から前記位置情報および前記利用者識別情報とを受信し、前記警備装置から前記切替情報を受信する受信手段と、前記受信手段によって前記切替情報を受信した後に、前記位置情報および前記利用者識別情報を受信した場合、受信した前記利用者識別情報に対応する前記安全照準位置の位置情報を前記記憶手段から取得し、取得した前記安全照準位置の位置情報が示す位置から所定の範囲内に、受信した前記位置情報が示す位置が含まれているか否かを判断する位置判断手段と、前記位置判断手段によって、前記取得した位置情報が示す位置から所定の範囲内に前記受信した位置情報が示す位置が含まれていないと判断された場合は、監視領域における異常と判断する異常判断手段と、を備えることを特徴とする。
【００１０】
また、本発明は、前記監視センタは、前記受信手段によって前記切替情報を受信した時点から、予め定められた所定の時間を計測する安全照準位置タイマ手段を更に備え、前記異常判断手段は、前記安全照準位置タイマ手段によって計測された前記所定の時間が経過するまでに、前記受信手段によって前記位置情報を受信しなかった場合、監視領域における異常と判断すること、を特徴とする。
【００１１】
また、本発明は、前記操作手段は、前記安全照準位置で前記利用者による入力を受け付け、前記位置送信手段は、前記操作手段によって前記安全照準位置で入力を受け付けた場合、前記位置情報取得手段によって取得した前記安全照準位置の位置情報および前記利用者識別情報とを前記監視センタに送信し、前記受信手段は、前記携帯端末から前記安全照準位置の位置情報および前記利用者識別情報とを受信し、前記監視センタは、前記受信手段によって受信した前記安全照準位置の位置情報と前記利用者識別情報とを、前記記憶手段に保存する登録手段を更に備えること、を特徴とする。
【００１２】
また、本発明は、前記登録手段は、前記受信手段によって受信した前記安全照準位置の位置情報で、前記記憶手段に既に保存されている前記安全照準位置の位置情報を更新すること、を特徴とする。
【００１３】
また、本発明は、監視領域における異常を検知する警備装置と、前記警備装置とネットワークで接続され、前記警備装置からの警報を受信して所定の監視処理を行う監視センタと、前記監視領域へ出入する利用者が所持する携帯端末との間で実行される監視方法において、前記携帯端末において、前記利用者による入力を受け付ける操作ステップと、前記携帯端末において、前記利用者の現在の位置を示す位置情報を取得する位置情報取得ステップと、前記携帯端末において、前記操作ステップによって入力を受け付けた場合、前記位置情報取得ステップによって取得した前記位置情報、および前記利用者に固有の利用者識別情報とを前記監視センタに送信する位置送信ステップと、を含み、前記警備装置において、監視領域において、異常を検知した場合における通報先への通報の可否または監視領域に対する報知の可否など、警備装置の動作を決定する複数の状態からなる警備モードを、異常を検知しても通報を行わない警備解除状態から、異常が検知された場合に前記監視センタに通報を行う警備状態に切替える警備モード切替ステップと、前記警備装置において、前記警備モード切替ステップによって前記警備状態に切替えられた場合、その旨を示す切替情報を前記監視センタに送信する送信ステップと、を含み、前記監視センタにおいて、前記携帯端末から前記位置情報および前記利用者識別情報とを受信し、前記警備装置から前記切替情報を受信する受信ステップと、前記監視センタにおいて、前記受信ステップによって前記切替情報を受信した後に、前記位置情報および前記利用者識別情報を受信した場合に、受信した前記利用者識別情報に対応し、前記警備装置から一定距離をおいた所定の位置である安全照準位置の位置情報を、予め前記利用者ごとに前記位置情報と前記利用者識別情報とを対応付けて記憶する記憶手段から取得し、取得した前記安全照準位置の位置情報が示す位置から所定の範囲内に、受信した前記位置情報が示す位置が含まれているか否かを判断する位置判断ステップと、前記監視センタにおいて、前記位置判断ステップによって、前記取得した位置情報が示す位置から所定の範囲内に前記受信した位置情報が示す位置が含まれていないと判断された場合は、監視領域における異常と判断する異常判断ステップと、を含むことを特徴とする。
【発明の効果】
【００１４】
本発明によれば、携帯端末において、位置送信手段によって、操作手段により利用者による入力を受け付けた場合、位置情報取得手段により取得した位置情報、および利用者識別情報とを監視センタに送信する。また、警備装置において、警備モード切替手段によって、監視領域における警備モードを警備解除状態から警備状態に切替えられた場合、送信手段によって、切替情報を監視センタに送信する。そして、監視センタにおいて、記憶手段によって、予め利用者ごとに安全照準位置における位置情報と利用者識別情報とを対応付けて記憶し、受信手段によって、携帯端末から位置情報および利用者識別情報とを受信し、警備装置から切替情報を受信し、位置判断手段によって、切替情報を受信した後に、位置情報および利用者識別情報を受信した場合、受信した利用者識別情報に対応する安全照準位置の位置情報を記憶手段から取得し、取得した安全照準位置の位置情報が示す位置から所定の範囲内に、受信した位置情報が示す位置が含まれているか否かを判断し、異常判断手段によって、位置判断手段により取得した位置情報が示す位置から所定の範囲内に受信した位置情報が示す位置が含まれていないと判断された場合は、監視領域における異常と判断する。従って、取得した安全照準位置の位置情報が示す位置から所定の範囲内に、受信した位置情報が示す位置が含まれている場合は、監視領域の警備状態が維持されていることを確認できるとともに、利用者が警備状態に切替えた後に監視領域から離れた所定の場所まで到着していることによる利用者の安全を確認することができる。また、取得した安全照準位置の位置情報が示す位置から所定の範囲内に、受信した位置情報が示す位置が含まれていない場合に警備状態が解除された場合、監視領域に異常が発生したと認識でき、押し込み強盗等により強制的に行われた警備状態の解除か否かを正当に判断することができるという効果を奏する。
【００１５】
また、本発明によれば、監視センタにおいて、安全照準位置タイマ手段によって、受信手段により切替情報を受信した時点から所定の時間を計測し、異常判断手段によって、安全照準位置タイマ手段により計測された所定の時間が経過するまでに、受信手段により位置情報を受信しなかった場合、監視領域における異常と判断する。従って、取得した安全照準位置の位置情報が示す位置から所定の範囲内に、受信した位置情報が示す位置が含まれている場合は、監視領域の警備状態が維持されていることを確認できるとともに、利用者が警備状態に切替えた後に監視領域から離れた所定の場所まで到着していることによる利用者の安全を確認することができる。また、所定の時間内に位置情報を受信せず警備状態が解除された場合、監視領域に異常が発生したと認識でき、押し込み強盗等により強制的に行われた警備状態の解除か否かを正当に判断することができるという効果を奏する。
【００１６】
また、本発明によれば、位置送信手段によって、操作手段により安全照準位置で入力を受け付けた場合、位置情報取得手段により取得した安全照準位置の位置情報および利用者識別情報とを監視センタに送信し、受信手段によって、携帯端末から安全照準位置の位置情報および利用者識別情報とを受信し、登録手段によって、受信手段により受信した安全照準位置の位置情報と利用者識別情報とを、記憶手段に保存する。従って、取得した安全照準位置の位置情報が示す位置から所定の範囲内に、受信した位置情報が示す位置が含まれている場合は、監視領域の警備状態が維持されていることを確認できるとともに、利用者が警備状態に切替えた後に予め登録された安全照準位置付近まで到着していることによる利用者の安全を確認することができる。また、取得した安全照準位置の位置情報が示す位置から所定の範囲内に、受信した位置情報が示す位置が含まれていない場合に警備状態が解除された場合、または所定時間内に位置情報を受信せず警備状態が解除された場合、監視領域に異常が発生したと認識でき、押し込み強盗等により強制的に行われた警備状態の解除か否かを正当に判断することができるという効果を奏する。
【００１７】
また、本発明によれば、登録手段によって、受信手段によって受信した安全照準位置の位置情報で、記憶手段に既に保存されている安全照準位置の位置情報を更新する。このように、安全照準位置を更新できるため、押し込み強盗を行おうとする者等に、安全照準位置を知られるという危険を防止することができるという効果を奏する。
【００１８】
また、本発明によれば、携帯端末において、位置送信ステップによって、操作ステップにより入力を受け付けた場合、位置情報取得ステップによって取得した位置情報および利用者識別情報とを監視センタに送信する。また、警備装置において、警備モード切替ステップによって、監視領域における警備モードを警備解除状態から警備状態に切替えられた場合、送信ステップによって切替情報を監視センタに送信する。そして、監視センタにおいて、受信ステップによって、携帯端末から位置情報および利用者識別情報とを受信し、警備装置から切替情報を受信し、位置判断ステップによって、受信ステップにより切替情報を受信した後に位置情報および利用者識別情報を受信した場合に、受信した利用者識別情報に対応する安全照準位置の位置情報を記憶手段から取得し、取得した安全照準位置の位置情報が示す位置から所定の範囲内に、受信した位置情報が示す位置が含まれているか否かを判断し、異常判断ステップによって、位置判断ステップにより取得した位置情報が示す位置から所定の範囲内に、受信した位置情報が示す位置が含まれていないと判断された場合は、監視領域における異常と判断する。従って、取得した安全照準位置の位置情報が示す位置から所定の範囲内に、受信した位置情報が示す位置が含まれている場合は、監視領域の警備状態が維持されていることを確認できるとともに、利用者が警備状態に切替えた後に監視領域から離れた所定の場所まで到着していることによる利用者の安全を確認することができる。また、取得した安全照準位置の位置情報が示す位置から所定の範囲内に、受信した位置情報が示す位置が含まれていない場合に警備状態が解除された場合、監視領域に異常が発生したと認識でき、押し込み強盗等により強制的に行われた警備状態の解除か否かを正当に判断することができるという効果を奏する。
【発明を実施するための最良の形態】
【００１９】
以下に添付図面を参照して、この発明にかかる監視システム、および監視方法の最良な実施の形態を詳細に説明する。
【００２０】
まず、本実施の形態について、添付図面を参照して説明する。本実施の形態にかかる監視システムは、利用者が監視領域の警備を開始する設定した後に、予め定めた所定の位置において利用者の所持する携帯端末から、所定の情報を監視センタに送信することにより、監視センタ側で、監視領域の警備状況及び該利用者の安全を確認するものである。
【００２１】
図１は、本実施の形態にかかる監視システムの構成を示す説明図である。図１に示すように、本実施の形態にかかる監視システムは、警備装置５００と、監視センタ３００と、
携帯端末２００とで構成されており、各々がネットワーク１１０を介して接続されている。
【００２２】
携帯端末２００は、所持している利用者の現在の位置を示す位置情報を取得するため、ＧＰＳ（Global Positioning System）衛星１００より電波を受信し、取得した位置情報、および利用者に固有の利用者ＩＤとを監視センタ３００へ送信する。また、警備装置５００は、利用者により監視領域の警備モードを警備状態に設定された（切替えられた）場合、その旨を示す切替情報を監視センタ３００へ送信するものである。そして、監視センタ３００は、位置情報、利用者ＩＤ、および切替情報に基づいて、監視領域の警備モードを警備状態に設定された後の監視領域の警備状況および利用者の安否を確認するものであり、詳細は後述する。
【００２３】
ここで、警備モードとは、監視領域において異常検知した際の通報先への通報の可否、または監視領域に対する報知の可否などを定めたモードであり、異常を検知したときの警備装置５００の動作を決定するモードである。警備モードは、通報の可否および通報先、監視領域への報知の有無などによって複数のモードが存在し、代表的な警備モードとしては、警備状態、警備解除状態がある。
【００２４】
まず、警備状態とは、主に利用者が外出中、警備を必要とする場合に設定する警備モードであり、センサによって異常を検知したときに発せられる検知信号を警備装置が受信した場合に、監視センタに異常を知らせる警報を通報する状態である。なお、警備装置の設置されている監視領域において異常を検知したことを報知する場合もある。これは、侵入者を威嚇する目的や誤報である場合に警報解除操作を促す目的で報知するものである。
【００２５】
警備解除状態とは、主に利用者が在宅中、警備を必要としない場合に設定する警備モードであり、センサによって異常を検知したときに発せられる検知信号を警備装置が受信した場合でも、監視センタへの警報の通報、監視領域における異常の検知、通報先端末への異常の通報のいずれも行わない状態である。これは、センサにより異常が検知（人の存在の検知、扉の開閉の検知）されても、在宅中の住人を検知したものと判断するためである。
【００２６】
次に、携帯端末２００の詳細について説明する。図２は、携帯端末２００の構成を示すブロック図である。図２に示すように、携帯端末２００は、操作部２０１と、位置情報取得部２０２と、位置送信部２０３とを主に備えており、ＧＰＳ機能を搭載している。ここで、ＧＰＳとは、２４個の人工衛星のうち、もっとも受信しやすい３個の衛星からの電波を受信することによって、位置、移動方向、速度を算出し、受信者の地球上での位置（経度／緯度等）を知るシステムのことである。
【００２７】
操作部２０１は、ある所定の位置で利用者が操作ボタン（図示せず）を押下することにより、利用者からの入力を受け付けるものである。
【００２８】
位置情報取得部２０２は、上述したように、携帯端末２００を所持している利用者の現在の位置を座標等により示す位置情報を取得するものである。具体的には、位置情報取得部２０２は、一定時間ごとにＧＰＳ衛星１００から電波を受信しており、該電波に基づいて携帯端末２００（利用者）が所在する位置を緯度、経度などで示した位置情報を算出して、メモリ（図示せず）に逐次保存しておくものである。
【００２９】
位置送信部２０３は、ある所定の位置で操作部２０１による入力を受け付けた場合に、位置情報取得部２０２により取得した現在の位置情報をメモリから読み出し、この位置情報と利用者ＩＤとを監視センタ３００に送信するものである。
【００３０】
なお、警備装置５００から一定距離をおいた所定の位置、すなわち、警備装置５００を警備状態に設定した後に押し込み強盗等に狙われないと考えられる一定距離をおいた位置である安全照準位置を監視センタに登録するために、操作部２０１は、利用者により決定された安全照準位置で利用者による入力を受け付ける。そして、位置送信部２０３は、操作部２０１により安全照準位置で入力を受け付けた場合に、位置情報取得部２０２によって取得した安全照準位置の位置情報を監視センタ３００に送信する。
【００３１】
次に、監視センタ３００の詳細について説明する。監視センタ３００は、監視領域の異常を検知した警備装置５００からの通報を受け、待機中の警備員に対して異常が検知された監視領域へ向かう旨の指示を出すとともに、必要に応じて警察や消防など関係機関への通報を行うセンタである。図３は、監視センタ３００の構成を示すブロック図である。図３に示すように、監視センタ３００は、通信制御部３１０と、位置情報記憶部３２０（記憶手段）と、制御部３５０とを主に備えている。
【００３２】
通信制御部３１０は、監視センタ３００とネットワーク１１０との間における通信を制御するものであり、具体的にはネットワークボードなどが該当する。
【００３３】
位置情報記憶部３２０は、携帯端末２００から受信した安全照準位置における位置情報と利用者ＩＤとを、予め利用者ごとに対応付けて登録した安全位置データベースを記憶するメモリ、ＨＤＤ（Hard Disk Drive）等の記憶媒体である。図４は、位置情報記憶部３２０の安全位置データベースの一例を示すデータ構成図である。図４に示すように、安全位置データベースには、利用者ごとに利用者ＩＤが登録され、該利用者ＩＤに対応する位置情報（安全照準位置における位置情報）が利用者ＩＤごと登録されている。ここで、利用者ＩＤは、安全位置データベースを検索するための検索キーとなる。
【００３４】
また、制御部３５０は、監視センタ３００の全体制御を行うものであり、さらに、受信部３５１と、登録部３５２と、位置判断部３５３と、安全照準位置タイマ部３５４と、監視処理部３５５（異常判断手段）とを主に備えている。
【００３５】
受信部３５１は、警備装置５００が監視領域の異常を検知した場合に、その旨を知らせる異常検知情報を受信するものである。また、受信部３５１は、携帯端末２００から位置情報および利用者ＩＤとを受信し、警備装置５００から切替情報を受信するものである。さらに、受信部３５１は、位置情報記憶部３２０に安全照準位置を登録するため、携帯端末２００から安全照準位置の位置情報と利用者ＩＤとを受信する。
【００３６】
登録部３５２は、受信部３５１によって携帯端末２００から受信した安全照準位置の位置情報と利用者ＩＤとを対応付けて、位置情報記憶部３２０の安全位置データベースに登録するものである。また、登録部３５２は、携帯端末２００から安全照準位置の位置情報を受信した場合、受信した安全照準位置の位置情報を位置情報記憶部３２０の安全位置データベースに登録することにより更新することができる。
【００３７】
具体的には、既に送信した安全照準位置と異なる任意の安全照準位置で利用者による入力を受け付けた場合、携帯端末２００からその異なる任意の安全照準位置の位置情報と利用者ＩＤを監視センタ３００に送信する。監視センタ３００の受信部３５１は、その異なる任意の安全照準位置の位置情報と利用者ＩＤを受信し、受信したその異なる任意の安全照準位置の位置情報と利用者ＩＤとを対応付けて、位置情報記憶部３２０の安全位置データベースに登録することで、既に登録されている安全照準位置を更新することができる。例えば、毎日異なる安全照準位置の位置情報を受信した場合は、毎日安全位置データベースを更新することができ、不定期に異なる安全照準位置の位置情報を受信した場合は、その都度、安全位置データベースを更新することができる。
【００３８】
位置判断部３５３は、受信部３５１によって警備装置５００から切替情報を受信した後に、携帯端末２００から位置情報および利用者ＩＤを受信した場合、受信した利用者ＩＤに対応する安全照準位置の位置情報を、受信した利用者ＩＤを検索キーとして位置情報記憶部３２０の安全位置データベースから取得し、取得した安全照準位置の位置情報が示す座標から所定の範囲内に、受信した位置情報が示す座標が含まれているか否かを判断するものである。これは、利用者により予め定められた安全照準位置の位置情報が示す座標から所定の範囲内に、警備状態に設定した後に受信した位置情報が示す座標が含まれていることにより、該利用者が警備状態に設定した後に、押し込み強盗等に襲われることなく安全照準位置付近に到着したか否かを確認するためである。
【００３９】
具体的には、位置判断部３５３は、受信部３５１により受信した利用者ＩＤを検索キーとして、位置情報記憶部３２０に登録されている安全位置データベースを検索し、該利用者ＩＤに対応する安全照準位置の位置情報を取得する。そして、取得した安全照準位置の位置情報が示す座標から所定の範囲内に、例えば安全照準位置を中心に半径１０メートル以内に、切替情報受信後に受信した位置情報が示す座標が含まれているか否かを判断する。
【００４０】
安全照準位置タイマ部３５４は、受信部３５１によって警備装置５００から切替情報を受信した時点から、予め定められた所定のタイマ時間、すなわち、利用者が監視領域を警備状態に設定した後、安全照準位置に到着する時間以上で、利用者の安全が確保されると考えられる時間の計測を開始するものである。
【００４１】
監視処理部３５５は、警備装置５００から異常検知情報を受信した場合、待機中の警備員に監視領域へ向かう旨の指令を送信したり、警備装置５００から監視領域の撮像画像を受信して警備装置５００を介して監視領域を集中監視する等の予め定められた監視処理を行うものである。また、監視処理部３５５は、位置判断部３５３による位置情報記憶部３２０から取得した位置情報が示す座標から所定の範囲内に、携帯端末２００から受信した位置情報が示す座標が含まれていないと判断された場合、監視領域において異常が発生、例えば押し込み強盗等に襲われている等、と判断し、上記と同様に予め定められた監視処理を行う。
【００４２】
次に、警備装置５００の詳細について説明する。警備装置５００は、監視領域の異常を検知した場合、その旨の異常検知情報を監視センタ３００に送信したり、利用者により監視領域が警備状態に設定された場合に、その旨を示す切替情報を監視センタ３００に送信する。図５は、警備装置５００の構成を示すブロック図である。図５に示すように、警備装置５００は、センサ５０１と、コントローラ５１０と、入出力制御部５２０と、通信制御部５３０と、制御部５５０とを主に備えている。
【００４３】
センサ５０１は、監視領域に設置されており、監視領域への侵入者等の異常を検知する目的で設置されたセンサであり、たとえば赤外線の受光量の変化をもとに人の存在を検出する赤外線センサ、赤外線などの受信が遮断されることで人の存在を検出する遮断センサ、電磁波の乱れで人の存在を検知する気配センサ、およびマグネットにより扉の開閉を検出するマグネットセンサなどの監視領域の異常を検出する各種センサ等が該当し、人の存在や扉の開閉を検知した場合に検知信号を出力する。
【００４４】
コントローラ５１０は、利用者により入力される警備モードの設定等の制御を行うものである。なお、コントローラ５１０は、操作表示部５１１を備えている。
【００４５】
操作表示部５１１は、例えばタッチ入力式の液晶画面であり、利用者に対して各種設定画面等を表示して利用者からの入力を受け付けるものである。
【００４６】
入出力制御部５２０は、コントローラ５１０の入出力制御、センサ５０１、監視領域の音声を取得するマイク（図示せず）の入力制御、送信された音声を出力するスピーカ（図示せず）の出力制御により種々のデータの入出力を制御する処理部である。
【００４７】
通信制御部５３０は、警備装置５００とネットワーク１１０との間における通信を制御するものであり、具体的にはネットワークボードなどが該当する。
【００４８】
制御部５５０は、警備装置５００の全体制御を行うものであり、更に、警備モード切替部５５１と、警備モード記憶部５５２と、異常通報部５５３と、退館タイマ部５５４と、送信部５５５とを主に備えている。
【００４９】
警備モード切替部５５１は、後述する警備モード記憶部５５２に、利用者から受け付けた警備モードを記憶させることにより、現在の監視領域における警備モードの切替設定を行うものである。
【００５０】
警備モード記憶部５５２は、監視領域における現在の警備モードを記憶するメモリなどの記憶媒体である。
【００５１】
異常通報部５５３は、警備モードが警備状態に設定されている場合に、センサ５０１が異常を検知すると、監視センタ３００に対して異常が検知されたという異常検知情報を通報するものである。
【００５２】
退館タイマ部５５４は、警備モード切替部５５１により、警備モード記憶部５５２に記憶されている監視領域の現在の警備モードが警備状態に切り替えられた場合に、予め定められた監視領域から退館するまでの退館タイマ時間の計測を開始するものである。退館タイマの計時中は、警備状態に切り替えた監視領域において異常が検知されたとしても異常通報部５５３による検知信号をキャンセルし、監視センタ３００へ通報または報知が行われないようにする。
【００５３】
送信部５５５は、警備モード切替部５５１により、警備モード記憶部５５２に記憶されている監視領域の現在の警備モードが警備状態に切り替えられた場合に、その旨を示す切替情報を監視センタ３００に送信するものである。
【００５４】
次に、以上のように構成された監視システムにおける安全照準位置の位置情報の登録処理について説明する。安全照準位置の位置情報は、携帯端末２００から監視センタ３００に送信され、登録されるため、まず、携帯端末２００側の処理について説明する。図６は、本実施の形態にかかる携帯端末２００の位置情報の取得および送信処理の手順を示すフローチャートである。
【００５５】
まず、利用者が安全照準位置を定め、その位置で携帯端末２００の操作ボタンを押下すると、操作部２０１は、定められた安全照準位置で利用者による入力を受け付ける（ステップＳ６０１）。
【００５６】
そして、操作部２０１により入力を受け付けると、位置送信部２０３は、位置情報取得部２０２により算出されてメモリに保存されている最新の現在の位置情報、および利用者ＩＤを監視センタ３００へ送信する（ステップＳ６０２）。
【００５７】
次に、携帯端末２００からの安全照準位置の位置情報を受信する監視センタ３００側の処理について説明する。図７は、本実施の形態にかかる監視センタ３００の安全照準位置の位置情報登録処理の手順を示すフローチャートである。
【００５８】
まず、受信部３５１は、携帯端末２００から送信された安全照準位置の位置情報および利用者ＩＤを受信する（ステップＳ７０１）。そして、登録部３５２は、受信した安全照準位置の位置情報と利用者ＩＤとを対応付けて、位置情報記憶部３２０の安全位置データベースに登録する（ステップＳ７０２）。このように登録された安全照準位置の位置情報は、後述する位置情報の判断の際に使用される。
【００５９】
次に、本実施の形態にかかる監視システムにおける位置情報の確認処理について説明する。まず、警備装置５００側の処理について説明する。利用者が店舗等の監視領域から退館する際に、コントローラ５１０から監視領域を警備状態に設定する操作入力を行うと、警備装置５００では、警備モード切替部５５１が警備モード記憶部５５２における現在の監視領域の警備モードを警備状態に記憶させることで警備状態に設定する。そして、警備装置５００における送信部５５５は、その旨を示す切替情報を監視センタ３００へ送信する。
【００６０】
次に、携帯端末２００側の処理について説明する。利用者は、監視領域を警備状態に設定した後、予め定めた安全照準位置まで移動する。そして、その位置で現在位置の位置情報を携帯端末２００から監視センタ３００へ送信する。ここで、携帯端末２００側の処理については、図６における処理動作と同様であるため、図６を参照して説明する。
【００６１】
まず、利用者が監視領域の警備モードを警備状態に設定して監視領域を施錠した後に、安全照準位置まで到着した場合、操作部２０１がその現在位置で利用者による入力を受け付けると（ステップＳ６０１）、位置送信部２０３は、位置情報取得部２０２により算出されてメモリに保存されている最新の位置情報、および利用者ＩＤを監視センタ３００へ送信する（ステップＳ６０２）。
【００６２】
次に、警備装置５００からの切替情報、および携帯端末２００からの現在位置の位置情報を受信する監視センタ３００側の処理について説明する。図８は、本実施の形態にかかる監視センタ３００における位置情報の確認処理の手順を示すフローチャートである。
【００６３】
まず、警備装置５００の警備モードが警備状態に設定された場合に、警備装置５００から切替情報が監視センタ３００に送信されると、受信部３５１は、該切替情報を受信する（ステップＳ８０１）。
【００６４】
そして、安全照準位置タイマ部３５４は、受信部３５１によって切替情報を受信した時点から、予め定められた所定のタイマ時間の計測を開始する（ステップＳ８０２）。次に、受信部３５１は、携帯端末２００から現在位置の位置情報および利用者ＩＤを受信したか否かの判断をする（ステップＳ８０３）。そして、受信部３５１により現在位置の位置情報および利用者ＩＤを受信した場合（ステップＳ８０３：Ｙｅｓ）、位置判断部３５３は、受信した利用者ＩＤを検索キーとして、位置情報記憶部３２０に登録されている安全位置データベースを検索し、該利用者ＩＤに対応する安全照準位置の位置情報を取得する（ステップＳ８０４）。
【００６５】
次に、位置判断部３５３は、取得した安全照準位置の位置情報が示す座標と、ステップＳ８０３で受信した位置情報が示す座標とを比較する（ステップＳ８０５）。そして、位置判断部３５３は、取得した安全照準位置の位置情報が示す座標から所定の範囲内に、受信した位置情報が示す座標が含まれているか否かを判断する（ステップＳ８０６）。そして、取得した安全照準位置の位置情報が示す座標から所定の範囲内に、受信した位置情報が示す座標が含まれている場合（ステップＳ８０６：Ｙｅｓ）、利用者は安全照準位置付近まで到着できたことになるため、そのまま処理は終了する。
【００６６】
一方、取得した安全照準位置の位置情報が示す座標から所定の範囲内に、受信した位置情報が示す座標が含まれていなかった場合（ステップＳ８０６：Ｎｏ）、監視処理部３５５は、監視領域において異常が発生、例えば押し込み強盗等に襲われている等と判断し、待機中の警備員に監視領域へ向かう旨の警備員急行指令の送信等の所定の監視処理を行う（ステップＳ８０８）。
【００６７】
また、ステップＳ８０３に戻って、受信部３５１により現在位置の位置情報および利用者ＩＤを受信していない場合（ステップＳ８０３：Ｎｏ）、安全照準位置タイマ部３５４は、所定のタイマ時間が経過しているか否かの判断をする（ステップＳ８０７）。そして、所定のタイマ時間が経過していない場合（ステップＳ８０７：Ｎｏ）は、ステップＳ８０３に戻って、携帯端末２００からの位置情報および利用者ＩＤが受信したか否かの判断をする。
【００６８】
また、所定のタイマ時間が経過している場合（ステップＳ８０７：Ｙｅｓ）、位置判断部３５３により安全照準位置の位置情報が示す座標から所定の範囲内に、受信した位置情報が示す座標が含まれていなかった場合と同様に、監視処理部３５５は、監視領域において異常が発生していると判断し、所定の監視処理を行う（ステップＳ８０８）。
【００６９】
なお、本実施の形態にかかる監視システムにおける位置情報の確認処理では、上述したように、位置判断部３５３により所定の範囲内に、受信した位置情報が示す座標が含まれていなかったと判断された場合は、監視処理部３５５により監視領域における異常発生と判断し、所定の監視処理を行っている。しかし、位置判断部３５３により所定の範囲内に、受信した位置情報が示す座標が含まれていなかったと判断した場合でも、安全照準位置タイマ部３５４によって計測される所定のタイマ時間の経過前に、再度、受信部３５１により現在位置の位置情報および利用者ＩＤを受信して、位置判断部３５３により所定の範囲内に、受信した位置情報が示す座標が含まれていると判断された場合は、異常発生とは判断せず、利用者が安全照準位置付近まで到達できたと判断して、処理を終了するよう構成してもよい。
【００７０】
このように、本実施の形態にかかる監視システムによれば、予め定められた安全照準位置の位置情報と利用者ＩＤとを携帯端末２００から監視センタ３００に送信し、登録しておく。次に、利用者が警備装置５００により監視領域を警備状態に設定した後、携帯端末２００からＧＰＳ機能により取得した所定の位置における現在の位置情報と利用者ＩＤとを監視センタ３００に送信する。そして、監視センタ３００は、利用者ＩＤに対応する安全照準位置の位置情報が示す座標から所定の範囲内に、所定の位置から送信された位置情報が示す座標が含まれているか否かの判断をする。
【００７１】
従って、取得した安全照準位置の位置情報が示す座標から所定の範囲内に、受信した位置情報が示す座標が含まれている場合は、監視領域における警備状態の設定が維持されていることを確認できるとともに、利用者が警備状態に設定した後に予め登録された安全照準位置付近まで到着していることによる利用者の安全を確認することができる。また、取得した安全照準位置の位置情報が示す座標から所定の範囲内に、受信した位置情報が示す座標が含まれていない場合に警備解除状態に設定された場合、または所定のタイマ時間内に位置情報を受信せず警備解除状態に設定された場合、監視領域に異常が発生したと認識でき、押し込み強盗等により強制的に行われた警備解除状態の設定か否かを正当に判断することができる。
【００７２】
なお、本実施の形態では、位置情報記憶部３２０の安全位置データベースに登録する安全照準位置を、１箇所登録できるように構成しているが、複数個所の位置を登録できるように構成してもよい。また、位置情報記憶部３２０の安全位置データベースに登録する安全照準位置を更新してもよい。この場合、安全照準位置を更新できるため、押し込み強盗を行おうとする者等に、安全照準位置を知られるという危険を軽減できる。
【００７３】
また、本実施の形態にかかる監視システムでは、安全照準位置タイマ部３５４が監視センタ３００側の制御部３５０に設けられて構成されているが、警備装置５００側の制御部５５０に設けられるように構成してもよい。このように、警備装置に安全照準位置タイマ部が設けられた場合、警備状態に設定された時点から、予め定められた所定のタイマ時間の計測を開始し、切替情報とともにタイマ計測を開始した旨を監視センタ３００へ送信する。さらに、所定のタイマ時間が経過した場合は、その旨を監視センタ３００へ送信する。これにより、監視センタ３００側では、所定のタイマ時間が経過したか否かを確認することができる。
【００７４】
さらに、本実施の形態における携帯端末２００は、上述した機能を主に有するように構成されたものであるが、警備モードの設定を行う際に使用する警備キーと一体とした構成にしてもよい。
【図面の簡単な説明】
【００７５】
【図１】本実施の形態にかかる監視システムの構成を示す説明図である。
【図２】携帯端末２００の構成を示すブロック図である。
【図３】監視センタ３００の構成を示すブロック図である。
【図４】位置情報記憶部３２０の安全位置データベースの一例を示すデータ構成図である。
【図５】警備装置５００の構成を示すブロック図である。
【図６】本実施の形態にかかる携帯端末２００の位置情報の取得および送信処理の手順を示すフローチャートである。
【図７】本実施の形態にかかる監視センタ３００の安全照準位置の位置情報登録処理の手順を示すフローチャートである。
【図８】本実施の形態にかかる監視センタ３００における位置情報の確認処理の手順を示すフローチャートである。
【符号の説明】
【００７６】
１００  ＧＰＳ衛星
１１０  ネットワーク
２００  携帯端末
２０１  操作部
２０２  位置情報取得部
２０３  位置送信部
３００  監視センタ
３１０  通信制御部
３２０  位置情報記憶部
３５０  制御部
３５１  受信部
３５２  登録部
３５３  位置判断部
３５４  安全照準位置タイマ部
３５５  監視処理部
５００  警備装置
５０１  センサ
５１０  コントローラ
５１１  操作表示部
５２０  入出力制御部
５３０  通信制御部
５５０  制御部
５５１  警備モード切替部
５５２  警備モード記憶部
５５３  異常通報部
５５４  退館タイマ部
５５５  送信部
【図１】
0004773213.tif 000002
【図２】
0004773213.tif 000003
【図３】
0004773213.tif 000004
【図４】
0004773213.tif 000005
【図５】
0004773213.tif 000006
【図６】
0004773213.tif 000007
【図７】
0004773213.tif 000008
【図８】
0004773213.tif 000009